(57)【要約】【課題】本考案は、液晶ディスプレーに適用され、構造が簡単で、操作が便利で、正常に使用する場合のフルスクリーンの観察効果そして美観が向上される保護マスク固定装置を提供する。【解決手段】本考案は、上方の縁の近くにある表面に結合するための凹槽或いは貫通穴からなる係止部１１が形成される保護マスクシート１と、一端に挟みフック２０が設けられ、当該挟みフック２０の末端に、複数の連接ブロック同士から組み立てられる蛇腹状のような可動部２１が結合され、該挟みフック２０が、安定的に前記係止部１１に係止され、そして、該可動部２１が、液晶ディスプレーの外枠形状に沿って湾曲可能であり、安定的に当該保護マスクシート１を吊り下げる吊りアーム２とを備えた構成とした。【選択図】図２
0003127465.tif 000002
【実用新案登録請求の範囲】
【請求項１】
液晶ディスプレーに適用される保護マスク固定装置であって、
外枠無しの透明の材質から作製され、上方縁の近くにある表面に結合するための凹槽などの係止部が形成された保護マスクシートと、
一端に挟みフックが設けられ、該挟みフックの末端に複数の連接ブロックから組み立てられる蛇腹状の可動部が結合され、該挟みフックが前記係止部に係止されるようになっており、前記可動部が前記液晶ディスプレーの外枠形状に沿って湾曲可能で且つ安定的に前記保護マスクシートを吊り下げる吊りアームと、を備えたことを特徴とする保護マスク固定装置。
【請求項２】
前記保護マスクシートは、ガラスやアクリル或いは優れた透過率を有する透明のプラスチック等の材質から作製されることを特徴とする請求項１に記載の保護マスク固定装置。
【請求項３】
前記吊りアームは、一体成型であるＬ形状の吊りアームと、該吊りアームの一端に設けられる挟みフックとからなることを特徴とする請求項１に記載の保護マスク固定装置。
【請求項４】
前記吊りアームは、挟みフックとの反対端に粘着剤やフック或いはマジックテープなどの結合手段が設けられることを特徴とする請求項３に記載の保護マスク固定装置。
【請求項５】
前記吊りアームは、挟みフックと可動部を有する前半部と、固定用のシート体である後半部とからなることを特徴とする請求項１に記載の保護マスク固定装置。
シ
【考案の詳細な説明】
【技術分野】
【０００１】
本考案は、液晶ディスプレーに実装される保護マスクシートの技術に関し、特に、迅速に組立てでき、ディスプレイの外観の美化及びフルスクリーンの観察効果が得られる液晶ディスプレーに適用される保護マスク固定装置に関する。
【背景技術】
【０００２】
従来の液晶ディスプレーの構造は、例えば、薄膜トランジスタ液晶ディスプレー（TFT-LCD thin-film transistor liquid-crystal display）であり、主として、ガラス基板とカラーフィルタ、ポラロイド、駆動ＩＣ、液晶材料、配向膜、バックライトモジュール、ＩＴＯ導電フィルム、及び外枠等の硬質化学用品が含有されており、従来の受像管に代わって利用される理由は、液晶ディスプレーのパネルにおいて、全ての点の距離が均一であるためであり、これにより、ラインの表示にバラツキが無く、また、体積が小さくて空間の節約ができ、また、携帯性と輻射が殆どなく、汚染が無く、かつエネルギーの節約が実現されるディスプレーが主流になりつつである。
しかしながら、スクリーンの表面が、内部の液晶を保護し、そして、現像するための現像フィルムであるため、外力によって破壊され易いから、保護マスクシートで保護する必要がある。
【０００３】
一般に市販されている従来の保護マスクは、構造設計が良くない。例えば、掛け型の保護マスクでは、サイズや掛け構造が悪く、スクリーンの外部ボタンの調整や外部の美観に悪い影響を与え、特に、保護マスクの下方が固定されていないため、揺れることにより騒音になる場合がある。
【０００４】
また、フィルム式の保護マスクがある。これはアクリルからなるフィルム式の保護マスクであり、使用する時、スクリーンの外枠の内側に固定し難いため、４隅にテープ等で固定する必要があり、そのため、長期に使用されると、粘着性が失われて脱落するおそれがある。
また、不便だけでなく外観の見栄えも悪い。更に、スクリーンの外枠の内側のサイズが様々であるため、アクリルであるフィルム式の保護マスクが、スクリーンの全面を被覆できない場合、或いは、スクリーンより大きい場合があり、スクリーンの観察に悪影響を与える。
【０００５】
本考案者は、慎重に研究し、周知の液晶ディスプレーに適用される保護マスク固定装置の問題点を解消するための保護マスク固定装置を提案する。
【考案の開示】
【考案が解決しようとする課題】
【０００６】
本考案の主な目的は、完全にスクリーンを保護する基本的機能の他に、迅速且つ容易に組立てられ、フルスクリーンの観察効果が向上し且つ美観が向上され、そして、ディスプレーの制御ボタンの操作に影響しない実用的な保護マスク固定装置を提供する。
【課題を解決するための手段】
【０００７】
本考案は、上記の目的を達成するため、外枠無しの透明の材質から作製され、例えば、ガラスやアクリル或いは優れた透過率を有する透明のプラスチック等の材質から作製され、上方縁の近くにある表面に結合するための凹槽或いは貫通穴からなる係止部が形成される保護マスクシートと、一端に挟みフックが設けられ、該挟みフックの末端に複数の連接ブロック同士から組み立てられる蛇腹状の可動部が結合され、該挟みフックが、安定的に前記係止部に係止することができ、そして、前記可動部が、液晶ディスプレーの外枠形状に湾曲でき、安定的に前記保護マスクシートを吊り下げる吊りアームとを備えていることを特徴とする。
【考案の効果】
【０００８】
上記の構成により、構造が簡単、操作が便利で、正常に使用する場合のフルスクリーンの観察効果が向上される保護マスク固定装置が実現される。
【考案を実施するための最良の形態】
【０００９】
以下、本考案の好適な実施例について図面をもとに説明する。
【実施例】
【００１０】
図１は、本考案の液晶ディスプレーに適用される保護マスク固定装置の一実施例を示す斜視図である。
本考案の液晶ディスプレーに適用される保護マスク固定装置は、外枠無しの透明の材質から作製され、例えば、ガラスやアクリル或いは優れた透過率を有する透明のプラスチック等の材質から作製される。
【００１１】
前記保護マスク固定装置は、上方の縁の近くにある表面に結合するための凹槽或いは貫通穴からなる係止部１１が形成される保護マスクシート１と、一端に挟みフック２０が設けられ、該挟みフック２０の末端には複数の連接ブロック２１１同士から組み立てられる蛇腹状の可動部２１が結合され、前記挟みフック２０が、安定的に前記の凹槽や貫通穴からなる係止部１１に係止される吊りアーム２が設けられた構成となっている。
そして、前記可動部２１を介して液晶ディスプレー３の外枠形状に沿って容易に湾曲することができ、安定的に前記保護マスクシート１を吊り下げることができるようになっている。
【００１２】
図２のように、前記保護マスク固定装置を実際に使用する時は、まず、吊りアーム２の一端にある挟みフック２０で保護マスクシート１の上方に形成した凹槽或いは貫通穴などからなる係止部１１に係止することにより、保護マスクシート１と吊りアーム２が結合され、そして、装置全体を液晶ディスプレー３に掛け、また、吊りアーム２の可動部２１を前記液晶ディスプレー３の外枠の形状に合わせて湾曲調整することにより、保護マスクシート１が緊密に液晶ディスプレー３に貼り付き、これにより、簡単且つ迅速に液晶ディスプレー３のスクリーンの前方に保護マスクシート１を配置できる。また、使用した保護マスクシート１が外枠無しの設計であるため、スクリーンに応じて液晶ディスプレー３に実装する時、液晶ディスプレー３全体の美観及び外部の制御ボタンの正常操作に影響することがない。
【００１３】
図３は、他の吊りアーム２の構造であり、当該吊りアーム２は、調整不可の固定形態であり、一体成型であるＬ形状の吊りアーム２と、当該吊りアーム２の一端に位置する挟みフック２０とが包含される。該挟みフック２０は保護マスクシート１に係止することに供され、Ｌ形状である吊りアーム２は迅速に液晶ディスプレー３に掛けることに供され、また、外力による脱落を防止し、安定的に位置付けるために、該Ｌ形状である吊りアーム２の挟みフック２０との反対端の底部に粘着剤やマジックテープ等の結合手段を設けてもよい。
【００１４】
図４は、更に、他の吊りアーム２構造であり、前記の可動と固定との両種類を結合する形態で、前半部が挟みフック２０と可動部２１とからなり、後半部が固定用のシート体２２であり、使用する時、当該挟みフック２０が、保護マスクシート１に係止され、可動部２１により、液晶ディスプレー３の外枠の形状に合わせて調整して掛け、また、シート体２２が、液晶ディスプレー３の裏側に当接して、保護マスクシート１の脱落を防止し、より安定的な結合が得られる。
【図面の簡単な説明】
【００１５】
【図１】本考案の実施例の保護マスク固定装置の構造斜視図。
【図２】本考案の実施例の保護マスク固定装置の使用状態を示す斜視図。
【図３】本考案の他の実施例の保護マスク固定装置を示す構造斜視図。
【図４】本考案の更に異なる他の実施例の保護マスク固定装置の構造斜視図。
【符号の説明】
【００１６】
１      保護マスクシート
１１    係止部（凹槽、貫通穴）
２      吊りアーム
２０    挟みフック
２１    可動部
２１１  連接ブロック
２２    シート体
３      液晶ディスプレー
【図１】
0003127465.tif 000003
【図２】
0003127465.tif 000004
【図３】
0003127465.tif 000005
【図４】
0003127465.tif 000006
【手続補正書】
【提出日】平成18年8月4日(2006.8.4)
【手続補正１】
【補正対象書類名】実用新案登録請求の範囲
【補正対象項目名】全文
【補正方法】変更
【補正の内容】
【実用新案登録請求の範囲】
【請求項１】
液晶ディスプレーに適用される保護マスク固定装置であって、
外枠無しの透明の材質から作製され、上方縁の近くにある表面に結合するための凹槽などの係止部が形成された保護マスクシートと、
一端に挟みフックが設けられ、該挟みフックの末端に複数の連接ブロックから組み立てられる蛇腹状の可動部が結合され、該挟みフックが前記係止部に係止されるようになっており、前記可動部が前記液晶ディスプレーの外枠形状に沿って湾曲可能で且つ安定的に前記保護マスクシートを吊り下げる吊りアームと、を備えたことを特徴とする保護マスク固定装置。
【請求項２】
前記保護マスクシートは、ガラスやアクリル或いは優れた透過率を有する透明のプラスチック等の材質から作製されることを特徴とする請求項１に記載の保護マスク固定装置。
【請求項３】
前記吊りアームは、一体成型であるＬ形状の吊りアームと、該吊りアームの一端に設けられる挟みフックとからなることを特徴とする請求項１に記載の保護マスク固定装置。
【請求項４】
前記吊りアームは、挟みフックとの反対端に粘着剤やフック或いはマジックテープ（登録商標）などの結合手段が設けられることを特徴とする請求項３に記載の保護マスク固定装置。
【請求項５】
前記吊りアームは、挟みフックと可動部を有する前半部と、固定用のシート体である後半部とからなることを特徴とする請求項１に記載の保護マスク固定装置。
【手続補正２】
【補正対象書類名】明細書
【補正対象項目名】全文
【補正方法】変更
【補正の内容】
【考案の詳細な説明】
【技術分野】
【０００１】
本考案は、液晶ディスプレーに実装される保護マスクシートの技術に関し、特に、迅速に組立てでき、ディスプレイの外観の美化及びフルスクリーンの観察効果が得られる液晶ディスプレーに適用される保護マスク固定装置に関する。
【背景技術】
【０００２】
従来の液晶ディスプレーの構造は、例えば、薄膜トランジスタ液晶ディスプレー（TFT-LCD thin-film transistor liquid-crystal display）であり、主として、ガラス基板とカラーフィルタ、ポラロイド（登録商標）、駆動ＩＣ、液晶材料、配向膜、バックライトモジュール、ＩＴＯ導電フィルム、及び外枠等の硬質化学用品が含有されており、従来の受像管に代わって利用される理由は、液晶ディスプレーのパネルにおいて、全ての点の距離が均一であるためであり、これにより、ラインの表示にバラツキが無く、また、体積が小さくて空間の節約ができ、また、携帯性と輻射が殆どなく、汚染が無く、かつエネルギーの節約が実現されるディスプレーが主流になりつつである。
しかしながら、スクリーンの表面が、内部の液晶を保護し、そして、現像するための現像フィルムであるため、外力によって破壊され易いから、保護マスクシートで保護する必要がある。
【０００３】
一般に市販されている従来の保護マスクは、構造設計が良くない。例えば、掛け型の保護マスクでは、サイズや掛け構造が悪く、スクリーンの外部ボタンの調整や外部の美観に悪い影響を与え、特に、保護マスクの下方が固定されていないため、揺れることにより騒音になる場合がある。
【０００４】
また、フィルム式の保護マスクがある。これはアクリルからなるフィルム式の保護マスクであり、使用する時、スクリーンの外枠の内側に固定し難いため、４隅にテープ等で固定する必要があり、そのため、長期に使用されると、粘着性が失われて脱落するおそれがある。
また、不便だけでなく外観の見栄えも悪い。更に、スクリーンの外枠の内側のサイズが様々であるため、アクリルであるフィルム式の保護マスクが、スクリーンの全面を被覆できない場合、或いは、スクリーンより大きい場合があり、スクリーンの観察に悪影響を与える。
【０００５】
本考案者は、慎重に研究し、周知の液晶ディスプレーに適用される保護マスク固定装置の問題点を解消するための保護マスク固定装置を提案する。
【考案の開示】
【考案が解決しようとする課題】
【０００６】
本考案の主な目的は、完全にスクリーンを保護する基本的機能の他に、迅速且つ容易に組立てられ、フルスクリーンの観察効果が向上し且つ美観が向上され、そして、ディスプレーの制御ボタンの操作に影響しない実用的な保護マスク固定装置を提供する。
【課題を解決するための手段】
【０００７】
本考案は、上記の目的を達成するため、外枠無しの透明の材質から作製され、例えば、ガラスやアクリル或いは優れた透過率を有する透明のプラスチック等の材質から作製され、上方縁の近くにある表面に結合するための凹槽或いは貫通穴からなる係止部が形成される保護マスクシートと、一端に挟みフックが設けられ、該挟みフックの末端に複数の連接ブロック同士から組み立てられる蛇腹状の可動部が結合され、該挟みフックが、安定的に前記係止部に係止することができ、そして、前記可動部が、液晶ディスプレーの外枠形状に湾曲でき、安定的に前記保護マスクシートを吊り下げる吊りアームとを備えていることを特徴とする。
【考案の効果】
【０００８】
上記の構成により、構造が簡単、操作が便利で、正常に使用する場合のフルスクリーンの観察効果が向上される保護マスク固定装置が実現される。
【考案を実施するための最良の形態】
【０００９】
以下、本考案の好適な実施例について図面をもとに説明する。
【実施例】
【００１０】
図１は、本考案の液晶ディスプレーに適用される保護マスク固定装置の一実施例を示す斜視図である。
本考案の液晶ディスプレーに適用される保護マスク固定装置は、外枠無しの透明の材質から作製され、例えば、ガラスやアクリル或いは優れた透過率を有する透明のプラスチック等の材質から作製される。
【００１１】
前記保護マスク固定装置は、上方の縁の近くにある表面に結合するための凹槽或いは貫通穴からなる係止部１１が形成される保護マスクシート１と、一端に挟みフック２０が設けられ、該挟みフック２０の末端には複数の連接ブロック２１１同士から組み立てられる蛇腹状の可動部２１が結合され、前記挟みフック２０が、安定的に前記の凹槽や貫通穴からなる係止部１１に係止される吊りアーム２が設けられた構成となっている。
そして、前記可動部２１を介して液晶ディスプレー３の外枠形状に沿って容易に湾曲することができ、安定的に前記保護マスクシート１を吊り下げることができるようになっている。
【００１２】
図２のように、前記保護マスク固定装置を実際に使用する時は、まず、吊りアーム２の一端にある挟みフック２０で保護マスクシート１の上方に形成した凹槽或いは貫通穴などからなる係止部１１に係止することにより、保護マスクシート１と吊りアーム２が結合され、そして、装置全体を液晶ディスプレー３に掛け、また、吊りアーム２の可動部２１を前記液晶ディスプレー３の外枠の形状に合わせて湾曲調整することにより、保護マスクシート１が緊密に液晶ディスプレー３に貼り付き、これにより、簡単且つ迅速に液晶ディスプレー３のスクリーンの前方に保護マスクシート１を配置できる。また、使用した保護マスクシート１が外枠無しの設計であるため、スクリーンに応じて液晶ディスプレー３に実装する時、液晶ディスプレー３全体の美観及び外部の制御ボタンの正常操作に影響することがない。
【００１３】
図３は、他の吊りアーム２の構造であり、当該吊りアーム２は、調整不可の固定形態であり、一体成型であるＬ形状の吊りアーム２と、当該吊りアーム２の一端に位置する挟みフック２０とが包含される。該挟みフック２０は保護マスクシート１に係止することに供され、Ｌ形状である吊りアーム２は迅速に液晶ディスプレー３に掛けることに供され、また、外力による脱落を防止し、安定的に位置付けるために、該Ｌ形状である吊りアーム２の挟みフック２０との反対端の底部に粘着剤やマジックテープ（登録商標）等の結合手段を設けてもよい。
【００１４】
図４は、更に、他の吊りアーム２構造であり、前記の可動と固定との両種類を結合する形態で、前半部が挟みフック２０と可動部２１とからなり、後半部が固定用のシート体２２であり、使用する時、当該挟みフック２０が、保護マスクシート１に係止され、可動部２１により、液晶ディスプレー３の外枠の形状に合わせて調整して掛け、また、シート体２２が、液晶ディスプレー３の裏側に当接して、保護マスクシート１の脱落を防止し、より安定的な結合が得られる。
【図面の簡単な説明】
【００１５】
【図１】本考案の実施例の保護マスク固定装置の構造斜視図。
【図２】本考案の実施例の保護マスク固定装置の使用状態を示す斜視図。
【図３】本考案の他の実施例の保護マスク固定装置を示す構造斜視図。
【図４】本考案の更に異なる他の実施例の保護マスク固定装置の構造斜視図。
【符号の説明】
【００１６】
１      保護マスクシート
１１    係止部（凹槽、貫通穴）
２      吊りアーム
２０    挟みフック
２１    可動部
２１１  連接ブロック
２２    シート体
３      液晶ディスプレー
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
液晶ディスプレーに適用される保護マスク固定装置であって、
外枠無しの透明の材質から作製され、上方縁の近くにある表面に結合するための凹槽などの係止部が形成された保護マスクシートと、
一端に挟みフックが設けられ、該挟みフックの末端に複数の連接ブロックから組み立てられる蛇腹状の可動部が結合され、該挟みフックが前記係止部に係止されるようになっており、前記可動部が前記液晶ディスプレーの外枠形状に沿って湾曲可能で且つ安定的に前記保護マスクシートを吊り下げる吊りアームと、を備えたことを特徴とする保護マスク固定装置。
【請求項２】
前記保護マスクシートは、ガラスやアクリル或いは優れた透過率を有する透明のプラスチック等の材質から作製されることを特徴とする請求項１に記載の保護マスク固定装置。
【請求項３】
前記吊りアームは、挟みフックとの反対端に粘着剤やフック或いはマジックテープ（登録商標）などの結合手段が設けられることを特徴とする請求項１に記載の保護マスク固定装置。
【請求項４】
前記吊りアームは、挟みフックと可動部を有する前半部と、固定用のシート体である後半部とからなることを特徴とする請求項１に記載の保護マスク固定装置。